(57)【要約】【課題】  受変電系統の、特別高圧系統を含むすべての系統について、充電有無の状態を模擬導体の発光有無により表示する系統状態表示装置を提供すること。【解決手段】  特別高圧系統から受電し、この受電電圧を変圧器で逓降して配電する電力系統を、開閉器８９または５２や変圧器ＴＲ１〜ＴＲ３などの系統構成機器のシンボルと、系統を表す模擬導体１１とで模擬表示する系統状態表示装置であって、模擬導体１１は、発光体を有する帯状に形成され、特別高圧系統の充電有無を検出する検電装置ＶＤ１，ＶＤ２の検出信号、実系統に設けられた開閉器８９または５２の開閉状態信号、配電系統に設けられた不足電圧継電器２７Ｓ１の動作信号を入力し、これら信号状態により充電状態の系統部分を検出し、充電状態の系統部分に対応する模擬導体１１の発光体を点灯させて充電状態表示を行う。【選択図】図１
2005269697.tif 000002
【特許請求の範囲】
【請求項１】
特別高圧系統から受電し、この受電電圧を変圧器で降圧して配電する電力系統を、開閉器や変圧器などの系統構成機器のシンボルと、系統を表す模擬導体とで模擬表示する系統状態表示装置であって、
前記模擬導体は、発光体を有する帯状に形成され、特別高圧系統の充電有無を検出する検電装置の検出信号、実系統に設けられた開閉器の開閉状態信号、配電系統に設けられた不足電圧継電器の動作信号を入力し、これら信号状態により充電状態の系統部分を検出し、この充電状態の系統部分に対応する模擬導体の前記発光体を点灯させて充電状態表示を行う
ことを特徴とする系統状態表示装置。
【発明の詳細な説明】
【技術分野】
【０００１】
本発明は、電力系統を、開閉器や変圧器などの系統構成機器のシンボルと、系統を表す模擬導体とで模擬表示する系統状態表示装置に関する。
【背景技術】
【０００２】
一般に、受変電監視設備では、ＣＲＴ等の表示画面や、グラフィックパネルなどにより、電力系統に設置された機器のシンボルや系統を表す模擬導体などで系統構成をグラフィック表示し、系統の状態を監視できるようにしている。
【０００３】
しかし、従来の系統状態表示は、単に系統構成を表しているに過ぎず、保守管理者は設備の運用状態や、表示された系統のどの部分が充電状態かの判断は、実系統に設けられた開閉器の開閉状態、検電装置や不足電圧継電器からの情報などにより、自ら判断しなければならず、判断が難しく時間がかかり、判断誤りが発生することもある。
【０００４】
また、発電機に接続された系統において、発電機の運転に伴う系統の充電状態をＬＥＤにより表示することは既に行われている(例えば、特許文献１参照) 。しかし、発電機の運転信号が得られない受変電系統では、特別高圧系統を含むすべての系統について充電状態を模擬表示するものはなかった。
【特許文献１】特開昭６２−２０３５０８号
【発明の開示】
【発明が解決しようとする課題】
【０００５】
このように、特別高圧系統を含む受変電系統全体の充電状態を表示するものはなく、系統監視上不便であった。
【０００６】
本発明の目的は、受変電系統の、特別高圧系統を含むすべての系統について、充電有無の状態を模擬導体の発光有無により表示する系統状態表示装置を提供することにある。
【課題を解決するための手段】
【０００７】
本発明の系統状態表示装置は、特別高圧系統から受電し、この受電電圧を変圧器で降圧して配電する電力系統を、開閉器や変圧器などの系統構成機器のシンボルと、系統を表す模擬導体とで模擬表示する系統状態表示装置であって、前記模擬導体は、発光体を有する帯状に形成され、特別高圧系統の充電有無を検出する検電装置の検出信号、実系統に設けられた開閉器の開閉状態信号、配電系統に設けられた不足電圧継電器の動作信号を入力し、これら信号状態により充電状態の系統部分を検出し、この充電状態の系統部分に対応する模擬導体の発光体を点灯させて充電状態表示を行うことを特徴とする。
【発明の効果】
【０００８】
本発明によれば、特別高圧系統を含む受変電系統の充電状態や運用状態を、系統を表す模擬導体の発光有無により自動的に表示するので、受変電系統全体の状態を一目で把握することができ、充電状態や系統運用状態を的確に判断でき、保守運転員に対する負担を軽減することができる。
【発明を実施するための最良の形態】
【０００９】
以下、本発明による系統状態表示装置の一実施の形態について図面を用いて詳細に説明する。
【００１０】
図１は、特別高圧系統２回線で受電し、取引用変成器を経た後、複数系統に別れ、それぞれ変圧器により電圧を降圧して系統毎に配電する受変電系統を、開閉器や変圧器などの系統構成機器のシンボルと、系統を表す模擬導体とで模擬表示した状態を示している。
【００１１】
図1において、ＶＤ１，ＶＤ２はそれぞれ特別高圧系統に設けられた検電装置を表す。１１は系統を表す帯状の模擬導体で、充電状態を表示するために発光体が取り付けられており、この発光体が点灯することにより、発光体がカバーする部分の模擬導体１１全体を発光表示する。８９は開閉器の一種である断路器のシンボル、５２は同じく開閉器の一種であるしゃ断器のシンボルで、それぞれの開閉操作スイッチをかねており、それぞれの上部左右には、開閉状態を表示する赤・緑ランプが設けられている。１２は電力会社との取引用変成器、１３は電力会社が管理する開閉器のシンボルである。
【００１２】
上記各シンボルや模擬導体を用いて、実際の系統構成を説明する。２回線の特別高圧系統１１Ａ１，１１Ａ２は、断路器８９−１，８９−２、導体１１Ｂ１，１１Ｂ２、しゃ断器５２−０１，５２−０２、断路器８９Ｒ１，８９Ｒ２を直列に介して、第１の母線１１Ｃに接続している。この第１の母線１１Ｃからは、断路器８９−３、取引用変成器１２、断路器８９−４を直列に介して第２の母線１１Ｄに接続している。
【００１３】
この第１の母線１１Ｃと第２の母線１１Ｄとの間には、電力会社が管理する開閉器１３が設けられている。この開閉器１３は常時開であり、取引用変正規１２の点検時など、電力会社により一時的に閉成され、取引用変成器１２をバイパスして第１の母線１１Ｃと第２の母線１１Ｄとの間を接続する。
【００１４】
第２の母線１１Ｄからは複数(図の例は３つ)の電源系統１１Ｅ１，１１Ｅ２，１１Ｅ３が分岐され、それぞれ断路器８９−５，８９−６，８９−７及びしゃ断器５２−０３，５２−０４，５２−０５を直列に介して対応する変圧器ＴＲ１，ＴＲ２，ＴＲ３の１次側に接続している。これら変圧器ＴＲ１，ＴＲ２，ＴＲ３の２次側からは、それぞれ図示しない負荷に電力を供給する導体１１Ｅ11，１１Ｅ21，１１Ｅ31がそれぞれ導出されている。
【００１５】
また、前記特別高圧系統１１Ａ１，１１Ａ２及び各変圧器ＴＲ１，ＴＲ２，ＴＲ３の１次側は、それぞれ対応する断路器８９Ｅ１，８９Ｅ２，８９Ｅ３，８９Ｅ４，８９Ｅ５を介してアースに接続している。これらアース接続用の断路器８９Ｅ１，８９Ｅ２，８９Ｅ３，８９Ｅ４，８９Ｅ５は常時開であり、対応する特別高圧系統１１Ａ１，１１Ａ２や変圧器ＴＲ１，ＴＲ２，ＴＲ３の１次側が、点検などのために、上位開閉器を開いて無電圧状態になったとき閉操作され、アース接続して点検者を保護する。
【００１６】
このように構成された模擬系統表示において、系統のどの部分が充電状態であるかは、各開閉器シンボルに設けられた赤・緑ランプの点灯状態から、対応する開閉器の開閉状態を確認すれば判別できる。しかし、この赤・緑ランプの点灯状態は、対応する開閉器の開閉状態を表示するだけであり、監視者はこれら開閉器の開閉状態から系統のどの部分が充電状態を推定しなければならない。このため、充電状態の把握が難しくご判別の恐れがあり、瞬時に判断するには長年の熟練が必要であった。
【００１７】
そこで、系統の各部分を表す模擬導体１１を、充電時に点灯させ、発光表示すれば、系統のどの部分が充電状態であるかを瞬時に判断できる。このためのアルゴリズムを図２により説明する。
【００１８】
図２は、図１で示した特別高圧系統１１Ａ１，１１Ｂ１、第１の母線１１Ｃ及び導体１１Ｅ11の各部を点灯させ充電表示する場合を示している。
【００１９】
すなわち、一方の特別高圧系統(模擬導体１１Ａ１)は、該当する特別高圧系統に設けられた検電装置ＶＤ１が充電状態を検出し、かつ接地用の断路器８９Ｅ１が開であることをアンド条件として点灯され、この系統部分１１Ａ１が充電状態であることを発光表示する。また、同じ一方の特別高圧系統の断路器８９−１以降の導体部分(模擬導体１１Ｂ１)は、検電装置ＶＤ１が充電状態、かつ接地用の断路器８９Ｅ１が開であり、さらに、断路器８９−１が閉であることを条件に点灯され、この部分が充電状態であることを発光表示する。
【００２０】
第１の母線(模擬導体１１Ｃ)は、一方の特別高圧系統の、上述した検電装置ＶＤ１が充電状態、接地用の断路器８９Ｅ１が開、断路器８９−１が閉、しゃ断器５２−０１が閉、断路器８９Ｒ１が閉のアンド条件が成立した場合、或いは、他方の特別高圧系統において同様のアンド条件、すなわち、検電装置ＶＤ２が充電状態、接地用の断路器８９Ｅ２が開、断路器８９−２が閉、しゃ断器５２−０２が閉、断路器８９Ｒ２が成立した場合、のいずれか又は双方をオア条件として点灯され、この部分が充電状態であることを発光表示する。
【００２１】
変圧器２次側の導体(模擬導体１１Ｅ11)は、その実系統に設けられた不足電圧継電器２７Ｓ１が不動作であることを条件に点灯されこの部分が充電状態であることを発光表示する。
【００２２】
ここで、特別高圧系統の充電状態は、検電装置ＶＤ１(ＶＤ２)により、高圧コンデンサを用いて系統電圧を分圧し、この分圧された電圧の有無により検出できるので、図２ではその検出信号を用いる。また、各断路器８９及び各しゃ断器５２については、それらの主回路接点の開閉動作に連動する補助接点の出力信号を用いる。さらに、不足電圧継電器２７Ｓ１については、その検出信号を用いる。
【００２３】
このように発電機の運転信号等がなくても、特別高圧系統の充電状態を検電装置により直接的に検出しているので、その結果により対応する模擬導体部分を発光させることができる。また、他の部分は、その系統部分に関連する開閉器の開閉状態信号や不足電圧継電器の動作信号などにより、充電状態を検出して対応する模擬導体部分を発光させることができる。
【００２４】
これらの結果、特別高圧系統を含む受変電系統全体に対し、該当する部分の模擬導体を発光させることができ、どの部分が充電状態かを一目で把握することができる。
【図面の簡単な説明】
【００２５】
【図１】本発明による系統状態表示装置の一実施の形態を示す正面図である。
【図２】同上一実施の形態に用いる表示制御アルゴリズムを示す論理回路図である。
【符号の説明】
【００２６】
１１    模擬導体
８９    断路器の表示シンボル
５２    しゃ断器の表示シンボル
ＶＤ１，ＶＤ２    検電装置
２７Ｓ１    不足電圧継電器
【図１】
2005269697.tif 000003
【図２】
2005269697.tif 000004